【事件の表示】
　特願２００５−　８６０６０「録画管理装置、録画管理方法およびプログラム」拒絶査定不服審判事件〔平成１８年１０月　５日出願公開、特開２００６−２７０５３９〕について、次のとおり審決する。
【結　論】
　本件審判の請求は、成り立たない。
【理　由】
１．本願および本願発明
　本願は、平成１７年３月２４日の出願であって、その特許請求の範囲に係る発明は、平成２０年８月１２日付け手続補正書により補正された特許請求の範囲の請求項１から請求項５までの各請求項に係る発明であるところ、これら発明のうち、請求項１に係る発明（以下、「本願発明」ともいう）は、当該請求項１の次の記載事項により特定されるものである。
　
「【請求項１】
　複数の録画装置の録画予約を行う録画管理装置であって、
　ユーザが番組録画の予約を行う際に、番組を放送するチャンネル、該番組の開始日時、該番組の終了日時、および、前記複数の録画装置のいずれかを特定するための録画装置指定情報を受け付ける入力部と、
　前記入力部にて受け付けられたチャンネル、開始日時、終了日時、および、録画装置指定情報を格納する格納部と、
　現在の日時を示す時計部と、
　前記時計部にて示される現在の日時が前記格納部に格納された開始日時になると、前記格納部に格納されたチャンネルにて放送される番組を、前記録画装置指定情報にて示された録画装置に録画させ、該現在の日時が前記格納部に格納された終了日時になると、該録画装置が行っている録画を停止する制御部と、を含み、
　前記制御部は、前記録画装置の電源のオンオフを制御する、録画管理装置。」
　
２．引用例
（１）引用例の記載
　原査定の拒絶理由に引用された特開平１０−２４１３４８号公報（平成１０年９月１１日公開、以下「引用例」ともいう）には、図面と共に次の記載がある。
　
「【発明の詳細な説明】
【０００１】
【発明の属する技術分野】本発明は、複数のＡＶ（オーディオ・ビジュアル）情報記録再生装置の予約録画を行い、予約を行なったメディア（番組）をユーザに通知すると共に簡単に再生することのできるＡＶシステム制御方法、ＡＶシステムコントロール装置及び情報記録再生装置に関するものである。
【０００２】
【従来の技術】近年、ＶＴＲ（ビデオ・テープレコーダ）装置が普及しており、１台のテレビに複数のＶＴＲ装置が接続されている状況が多々見られている。このように２台以上のＶＴＲを接続した場合には、ユーザはダビングや編集、同じ時間に放映されている異なる番組の録画などを行なうことができる。しかしながら、複数のＡＶ情報記録再生装置を同時に取り扱うことは、操作が煩雑となり、ユーザの思い通りに動作させることが難しかった。
【０００３】そこで、このようなシステムをより簡単に扱うために、ＶＴＲ装置等の複数のＡＶ情報記録再生装置を統合管理する制御装置が考えられ、製品化されている。この従来の制御装置は、複数のＡＶ情報記録再生装置の入出力をまとめるだけでなく、コントロール端子等を利用して、各々のＡＶ情報記録再生装置の入出力の切り換え制御等を行なっている。そして、この制御装置を導入することにより、複数のＡＶ情報記録再生装置を統合して一つのシステムとし、より便利に、かつ簡単に操作をすることが可能になっていた。
【０００４】また、特開平７−１４５８３号等では、制御装置にタイマ機能を設けて、タイマ制御による複数のＡＶ情報記録再生装置の操作を可能にするシステムも構築されており、ユーザは電源のオン・オフや予約録画の操作等をタイマ機能を利用して行うことができるようになった。
【０００５】
【発明が解決しようとする課題】しかし、上記のような従来の制御装置によるシステムでは、ユーザが予約録画を行なった場合、どのＶＴＲ装置で、どの番組を予約したのか覚えておく必要があった。もし、これを忘れた場合、順に各ＶＴＲ装置で巻き戻し・再生を行って、見たい番組がどこに記録されているかを探さなければならなかった。さらに、同じＶＴＲ装置で複数の番組を録画している場合、その録画した順番も覚えておかなければならず、探すのがより一層困難であった。これはユーザにとって非常に面倒な作業であると共に、時間のかかる作業であった。
【０００６】また、ユーザが予約を行なう際には、複数あるＶＴＲ装置の中から録画を行なうＶＴＲ装置を選択しなければならない。しかし、複数の番組を予約録画したい場合などでは、ユーザが磁気テープ（記録媒体）の録画可能時間を計算しながら複数のＶＴＲ装置に予約内容を割り振らなければならなかった。この時、録画開始時刻が重なったり、ある番組の録画中に他の番組の録画開始時刻が来る場合などは、さらに複雑なものとなっていた。
【０００７】そこで、本発明は、ユーザに対して、録画した番組を通知をする機能と、録画を行なうＶＴＲを自動的に選択する機能を設けたＡＶシステムコントロール装置を提供することにより、上記課題を解決することを目的とする。」
　
「【００１４】
【発明の実施の形態】本発明のＡＶシステム制御方法は、記録を行なう際にＡＶシステムコントロール装置から各ＡＶ情報記録再生装置に状態を問い合わせ、記録可能なＡＶ情報記録再生装置を選択して録画を行なうようにした。そして、録画を行なった番組の情報を蓄積したメディアリストをＡＶシステムコントロール装置に設けた。このことにより、ユーザは記録した番組を、メディアリストの中から選択することにより、視聴可能となる。
【００１５】また、本発明のＡＶシステム制御方法は、ユーザが番組予約をする際には、予約録画に関する情報をＡＶシステムコントロール装置に対して入力する。そして、予約を受けたＡＶシステムコントロール装置は、番組開始時刻に各ＡＶ情報記録再生装置の状態を調べ、記録可能なＡＶ情報記録再生装置を選択して番組の録画を開始させる。番組終了時刻には、ＡＶシステムコントロール装置は録画を行なっているＡＶ情報記録再生装置に対して番組の録画を終了させる。さらに、録画が正常に終了したことを確認して、ＡＶシステムコントロール装置に内蔵されているメディアリストに番組のデータを登録する。そして、ユーザが予約録画した番組を視聴する場合には、ユーザはメディアリストを見ることにより、記録を行なった番組を選択することができ、どのＡＶ情報記録再生装置に記録されているかを意識することなく視聴することができる。
【００１６】
【実施例】以下、本発明のＡＶシステム制御方法、ＡＶシステムコントロール装置、情報記録再生装置の一実施例について図面と共に説明する。ここでは、説明を簡単にするために、モニタをＴＶ（テレビ）、ＡＶ記録再生装置をＶＴＲ装置とする。
【００１７】本発明のＡＶシステム制御方法は、図１（Ａ）、（Ｂ）に示すような形態で接続される。同図（Ａ）は、ＡＶシステムコントロール装置１に対して、モニタ２及び情報記録再生装置３ａ〜３ｎを接続した例であり、同図（Ｂ）は、各装置１，２，３ａ〜３ｎをホームバスや家庭内ＬＡＮ（ローカル・エリア・ネットワーク）等により接続した例である。そして、いずれの場合でも、ＡＶシステムコントロール装置１により、情報記録再生装置３ａ〜３ｎの電源のオン・オフや録画開始・終了等の操作を行うことができるように接続されている。」
　
「【００２０】・・（略）・・ＡＶシステムコントロール装置１の主要部分の構成を中心に示すと、図２のようになる。
【００２１】同図に示すように、ＡＶシステムコントロール装置１は、番組予約部１１ａ，番組予約リスト１１ｂ，タイマ１１ｃからなる番組予約手段１１と、ＡＶ装置制御部１２ａ，ＡＶ装置リスト１２ｂからなるＡＶ装置制御手段１２と、メディア選択部１３ａ，メディアリスト１３ｂからなるメディア選択手段１３と、表示部１４ａを有する表示手段１４とで構成されている。
【００２２】そして、番組予約手段１１の番組予約リスト１１ｂは、録画予約を行なうのに必要なデータを蓄積しており、番組予約装置１１ａによってこの番組予約リスト１１ｂにデータが登録・更新・削除される。また、タイマ１１ｃは、現在の時刻を計数することができ、番組予約リスト１１ｂのデータを参照して、予約の開始・終了時刻になったときにＡＶ装置制御部１２ａに録画開始・終了メッセージを出力する。
【００２３】ＡＶ装置制御手段１２のＡＶ装置リスト１２ｂは、現在接続されているＡＶ装置３のデータを蓄積しており、ＡＶ装置３から現在の状態が書き込まれる。ＡＶ装置制御部１２ａは、タイマ１１ｃから録画開始・終了メッセージを受けとり、ＡＶ装置リスト１２ｂを参照して操作に適当なＡＶ装置３を選択する。そして、ＡＶ装置３に録画開始・停止などの制御メッセージを出力すると共に、録画終了後には、メディアリスト１３ｂに番組のデータを登録する。また、メディア選択部１３ａからは再生開始・終了メッセージを受けとり、番組が録画されているＡＶ装置３を選択して再生開始・停止などの制御メッセージを出力する。」
　
「【００２６】＜番組予約＞ユーザ４はＡＶシステムコントロール装置１に対して、従来、ＡＶ情報記録再生装置３で行っていた方法と同様の方法で番組録画の予約を行なう。すなわち、ユーザが番組録画の予約を行なう際には、番組のチャンネル、放映日（曜日）、録画開始・終了時刻、記録モードなど、番組に関するデータを入力したり、番組表を見ながらＧコードと呼ばれる数字を入力して番組に関するデータに変換したりして、番組録画の予約を行なう。
【００２７】そして、この番組録画の予約は、番組予約手段１１の番組予約部１１ａを操作することにより行われ、番組に関するデータは、番組予約リスト１１ｂに登録される。また、番組予約リスト１１ｂに登録される番組に関するデータ（以下、番組データとも言う）は、個々の番組に設けられる番組ＩＤに対して、チャンネル、放映日、開始時刻、終了時刻、番組カテゴリ（必要に応じて）等が登録される。」
　
（２）引用例記載の発明
　上記引用例の記載によると、引用例には、「複数のＡＶ（オーディオ・ビジュアル）情報記録再生装置の予約録画を行い、予約を行なったメディア（番組）をユーザに通知すると共に簡単に再生することのできるＡＶシステム制御方法、ＡＶシステムコントロール装置及び情報記録再生装置」（【０００１】）に関する技術が記載されており、その前提とする従来技術、解決しようとする課題およびその解決手段（実施の態様）について次のとおりの記載されている。
　
　ア．前提とする従来技術
「近年、ＶＴＲ（ビデオ・テープレコーダ）装置が普及しており、１台のテレビに複数のＶＴＲ装置が接続されている状況が多々見られている。」（【０００２】）、「そこで、このようなシステムをより簡単に扱うために、ＶＴＲ装置等の複数のＡＶ情報記録再生装置を統合管理する制御装置が考えられ、製品化されている。」（【０００３】）との従来技術を前提とするものである。
　
　イ．解決しようとする課題
「上記のような従来の制御装置によるシステムでは、ユーザが予約録画を行なった場合、どのＶＴＲ装置で、どの番組を予約したのか覚えておく必要があった。もし、これを忘れた場合、順に各ＶＴＲ装置で巻き戻し・再生を行って、見たい番組がどこに記録されているかを探さなければならなかった。」（【０００５】）、「また、ユーザが予約を行なう際には、複数あるＶＴＲ装置の中から録画を行なうＶＴＲ装置を選択しなければならない。しかし、複数の番組を予約録画したい場合などでは、ユーザが磁気テープ（記録媒体）の録画可能時間を計算しながら複数のＶＴＲ装置に予約内容を割り振らなければならなかった。」（【０００６】）という従来技術の問題点を解決しようとするものである。
　
　ウ．課題の解決手段
（ア）概要
　「ユーザが番組予約をする際には、予約録画に関する情報をＡＶシステムコントロール装置に対して入力する。そして、予約を受けたＡＶシステムコントロール装置は、番組開始時刻に各ＡＶ情報記録再生装置の状態を調べ、記録可能なＡＶ情報記録再生装置を選択して番組の録画を開始させる。番組終了時刻には、ＡＶシステムコントロール装置は録画を行なっているＡＶ情報記録再生装置に対して番組の録画を終了させる。さらに、録画が正常に終了したことを確認して、ＡＶシステムコントロール装置に内蔵されているメディアリストに番組のデータを登録する。そして、ユーザが予約録画した番組を視聴する場合には、ユーザはメディアリストを見ることにより、記録を行なった番組を選択することができ、どのＡＶ情報記録再生装置に記録されているかを意識することなく視聴することができる。」（【００１５】）ようにしたものである。
　
（イ）接続構成
　図１（Ａ）に示されるように「ＡＶシステムコントロール装置１に対して、モニタ２及び情報記録再生装置３ａ〜３ｎを接続」（【００１７】）するか、あるいは図１（Ｂ）に示されるように「各装置１，２，３ａ〜３ｎをホームバスや家庭内ＬＡＮ（ローカル・エリア・ネットワーク）等により接続」（【００１７】）した接続構成とし、「いずれの場合でも、ＡＶシステムコントロール装置１により、情報記録再生装置３ａ〜３ｎの電源のオン・オフや録画開始・終了等の操作を行うことができるように接続されている。」（【００１７】）ようにしている。
　
（ウ）番組録画の予約
　「ユーザが番組録画の予約を行なう際には、番組のチャンネル、放映日（曜日）、録画開始・終了時刻、記録モードなど、番組に関するデータを入力したり、番組表を見ながらＧコードと呼ばれる数字を入力して番組に関するデータに変換したりして、番組録画の予約を行なう。」（【００２６】）、「そして、この番組録画の予約は、番組予約手段１１の番組予約部１１ａを操作することにより行われ、番組に関するデータは、番組予約リスト１１ｂに登録される。」（【００２７】）ようにする。
　
（エ）予約した番組の録画の開始と停止
　「タイマ１１ｃは、現在の時刻を計数することができ、番組予約リスト１１ｂのデータを参照して、予約の開始・終了時刻になったときにＡＶ装置制御部１２ａに録画開始・終了メッセージを出力する。」（【００２２】）、「ＡＶ装置制御部１２ａは、タイマ１１ｃから録画開始・終了メッセージを受けとり、ＡＶ装置リスト１２ｂを参照して操作に適当なＡＶ装置３を選択する。そして、ＡＶ装置３に録画開始・停止などの制御メッセージを出力する」（【００２３】）ようにして予約した番組の録画の開始と停止を行うようにする。
　
　上記引用例記載の技術には、「ＡＶシステムコントロール装置」について次の発明（以下、「引用発明」ともいう）が開示されているといえる。
　
　「モニタ２及び情報記録再生装置３ａ〜３ｎを接続」あるいは「各装置１，２，３ａ〜３ｎをホームバスや家庭内ＬＡＮ（ローカル・エリア・ネットワーク）等により接続」し、
　「情報記録再生装置３ａ〜３ｎの電源のオン・オフや録画開始・終了等の操作を行うことができ」、
　「ユーザが番組録画の予約を行なう際には、番組のチャンネル、放映日（曜日）、録画開始・終了時刻、記録モードなど、番組に関するデータを入力したり、番組表を見ながらＧコードと呼ばれる数字を入力して番組に関するデータに変換したりして、番組録画の予約を行な」い、
　「番組録画の予約は、番組予約手段１１の番組予約部１１ａを操作することにより行われ、番組に関するデータは、番組予約リスト１１ｂに登録され」、
　「タイマ１１ｃは、現在の時刻を計数することができ、番組予約リスト１１ｂのデータを参照して、予約の開始・終了時刻になったときにＡＶ装置制御部１２ａに録画開始・終了メッセージを出力」し、
　「ＡＶ装置制御部１２ａは、タイマ１１ｃから録画開始・終了メッセージを受けとり、ＡＶ装置リスト１２ｂを参照して操作に適当なＡＶ装置３を選択する。そして、ＡＶ装置３に録画開始・停止などの制御メッセージを出力する」ようにして予約した番組の録画の開始と停止を行い、
　「ユーザが番組予約をする際には、予約録画に関する情報をＡＶシステムコントロール装置に対して入力」し、
　「予約を受け」て「番組開始時刻に各ＡＶ情報記録再生装置の状態を調べ、記録可能なＡＶ情報記録再生装置を選択して番組の録画を開始させ」、
　「番組終了時刻には、録画を行なっているＡＶ情報記録再生装置に対して番組の録画を終了させ」るＡＶシステムコントロール装置。
　
３．対比、一致点および相違点
（１）対比
　本願発明をその各要件毎に引用発明と対比する。
　
　ア．「複数の録画装置の録画予約を行う管理装置」について
　引用発明のＡＶシステムコントロール装置（以下、単に「コントロール装置」ともいう）は、「複数のＡＶ（オーディオ・ビジュアル）情報記録再生装置の予約録画を行い」得るものであって（【０００１】）、ここでいう「ＡＶ情報記録再生装置」は「録画装置」と同義であり、また上記コントロール装置は、引用例１の前記従来技術についての記載（【０００３】）でいうように「複数のＡＶ情報記録再生装置を統合管理する」制御装置ともいえるものであり、引用発明の上記ＡＶシステムコントロール装置は、本願発明での「複数の録画装置の録画予約を行う管理装置」に相当するものといえる。
　よって、本願発明と引用発明とは「複数の録画装置の録画予約を行う管理装置」である点で一致する。
　
　イ．「ユーザが番組録画の予約を行う際に、番組を放送するチャンネル、該番組の開始日時、該番組の終了日時、および、前記複数の録画装置のいずれかを特定するための録画装置指定情報を受け付ける入力部」について
　
　引用発明でも、「ユーザが番組予約をする際には、番組のチャンネル、放映日（曜日）、録画開始・終了時刻、録画モードなど、番組に関するデータを入力（したり）」するようにしており（【００２６】）、そのようなデータの入力がなされるようにする上で、引用発明が上記番組のチャンネル、放映日、録画開始・終了時刻等を受け付ける適宜の入力部を有するものであることは明らかで、そうすると、引用発明も、本願発明と同様、「ユーザが番組録画の予約を行う際に、番組を放送するチャンネル、該番組の開始日時、該番組の終了日時を受け付ける入力部」を有しているといえる。
　もっとも、本願発明では、上記入力部が「ユーザが番組録画の予約を行う際に、」「前記複数の録画装置のいずれかを特定するための録画装置指定情報」をも受け付けており、当該録画装置指定情報の受付けは、明細書の記載、すなわち、「録画装置指定情報がユーザから受け付けられ、」（【００１６】）、「上記発明によれば、ユーザが録画したい番組を、ユーザが指定した録画装置に録画することが可能になる。」（【００１７】）、「ユーザは、リモコン５を操作して、その録画予約したい番組を録画する録画装置（本実施例では、録画装置１ａないし１ｃ）を特定するための録画装置指定情報を入力する。」（【００４８】）等の記載に照らし、“番組録画の予約を行う際に、ユーザが入力した”録画装置指定情報を受け付けるものと解されるところ、引用発明では、前記のとおり、「予約を受けたＡＶシステムコントロール装置は、番組開始時刻に各ＡＶ情報記録再生装置の状態を調べ、記録可能なＡＶ情報記録再生装置を選択して番組の録画を開始させる。」（【００１５】）ようにしており、したがって、本願発明での上記ユーザが入力した録画装置指定情報の受付けはなされていない。
　よって、本願発明と引用発明とは、
　「ユーザが番組録画の予約を行う際に、番組を放送するチャンネル、該番組の開始日時、該番組の終了日時を受け付ける入力部」を含む点で一致し、　本願発明では、入力部で「前記複数の録画装置のいずれかを特定するための録画装置指定情報」も受け付けることに対して、
　引用発明では、「複数の録画装置のいずれかを特定するための録画装置指定情報」を受け付けていない点で相違する。
　
　ウ．「前記入力部にて受け付けられたチャンネル、開始日時、終了日時、および、録画装置指定情報を格納する格納部」について
　
　本願発明の上記格納部は、上記入力部が上記チャンネル、開始日時、終了日時の他、録画装置指定情報も受け付けるものであることを前提に、これら入力部で受け付けたデータを格納するものであるが、引用発明では、上記イ．で認定したとおり、上記入力部による録画装置指定情報の受付けはなされておらず、したがって当該録画装置指定情報の格納部での格納はなされていない。
　しかしながら、その点を別にすれば、引用発明でも、「番組に関するデータは、番組予約リスト１１ｂに登録される。」（【００２７】）のであり、ここでいう「番組に関するデータ」は、上記した番組に関するデータ、すなわち番組のチャンネル、放送日、録画開始・終了時刻等であり、また当該番組に関するデータを登録する上記番組予約リスト１１ｂは、同データを格納する格納部ともいい得るものであって、そうすると結局、引用発明も「前記入力部にて受け付けられたチャンネル、開始日時、終了日時を格納する格納部」を有しているといえ、この点では本願発明と違いがない。
　よって、本願発明と引用発明とは、
　「前記入力部にて受け付けられたチャンネル、開始日時、終了日時を格納する格納部」を含む点で一致し、
　本願発明では、格納部で「録画装置指定情報」も格納することに対して、
　引用発明では、「録画装置指定情報」を格納していない点で相違する。
　
　エ．「現在の日時を示す時計部」について
　引用発明は「タイマ１１ｃ」を有し（【００２１】，図２）、このタイマ１１ｃは「現在の時刻を計数することができる」（【００２２】）ものであるから、「現在の日時を示す時計部」といえるものである。
　よって、本願発明と引用発明とは、
　「現在の日時を示す時計部」を含む点で一致する。
　
　オ．「前記時計部にて示される現在の日時が前記格納部に格納された開始日時になると、前記格納部に格納されたチャンネルにて放送される番組を、前記録画装置指定情報にて示された録画装置に録画させ、該現在の日時が前記格納部に格納された終了日時になると、該録画装置が行っている録画を停止する制御部」について
　
　本願発明の上記制御部は、録画予約された番組を「前記録画装置指定情報にて示された」録画装置に録画させるものであり、「前記録画装置指定情報」とは、前記のように、ユーザが録画予約を行う際に入力して格納部に格納しておいた情報である。然るに、この点について、引用発明では、前記イ．で認定したように、“番組開始時刻（すなわち録画予約された番組の開始日時）に各ＡＶ情報記録再生装置（録画装置）の状態を調べ、記録可能なＡＶ情報記録再生装置（録画装置）を選択して番組の録画を開始させる”ようにしている。すなわち、本願発明では、録画させる録画装置が「前記録画装置指定情報にて示された」録画装置であることに対し、引用発明では、「各ＡＶ情報記録再生装置（録画装置）の状態を調べ、記録可能なＡＶ情報記録再生装置（録画装置）を選択し」た録画装置である点で異なっている。
　しかしながら、本願発明における「前記録画装置指定情報にて示された」録画装置は、その録画装置指定情報をユーザが録画予約を行う際に入力して格納部に格納することで指定したものであって、複数の録画装置の中からユーザによって選択されたものといえる。そうであって、本願発明と引用発明とは、前記ア．で認定したとおり、いずれも「複数の録画装置の録画予約を行う録画管理装置」であるから、両者における上記録画予約した番組を録画させる録画装置は、いずれも上記複数の録画装置のうちから選択した録画装置といえ、共通する。
　そうすると、上記異なる点は、録画予約した番組を録画させる録画装置を複数の録画装置のうちから選択する上での選択手法の違いといえるが、今この違いを一応措いて、選択した録画装置に録画予約した番組を録画させるための制御についてみると、引用発明では、前記のとおり、「タイマ１１ｃは、現在の時刻を計数することができ、番組予約リスト１１ｂのデータを参照して、予約の開始・終了時刻になったときにＡＶ装置制御部１２ａに録画開始・終了メッセージを出力する。」（【００２２】）、「ＡＶ装置制御部１２ａは、タイマ１１ｃから録画開始・終了メッセージを受けとり、」「ＡＶ装置３に録画開始・停止などの制御メッセージを出力する」（【００２３】）ようにして録画予約した番組の録画（その開始と停止）の制御がなされており、この録画の制御では、上記ＡＶ装置制御部１２ａがＡＶ装置３（録画装置）の録画開始・停止を制御しているのであるから、当該ＡＶ装置制御部１２ａは、本願発明において録画装置の録画と録画の停止を制御する上記「制御部」といえるものであり、また、上記「番組予約リスト１１ｂ」、「タイマー１１ｃ」は、前記ウ．エ．で認定したとおり、それぞれ「チャンネル、開始日時、終了日時を格納する格納部」、「現在の日時を示す時計部」といえるものであるから、この点を踏まえると、上記ＡＶ装置制御部１２ａは、上記制御部と同様、“前記時計部にて示される現在の日時が前記格納部に格納された開始日時になると、前記格納部に格納されたチャンネルにて放送される番組を、録画装置（上記複数の録画装置のうちから選択した録画装置）に録画させ、該現在の日時が前記格納部に格納された終了日時になると、該録画装置が行っている録画を停止する」制御を行うものといえる。
　よって、本願発明と引用発明とは、
　「前記時計部にて示される現在の日時が前記格納部に格納された開始日時になると、前記格納部に格納されたチャンネルにて放送される番組を、［前記複数の録画装置のうちから選択した］録画装置に録画させ、該現在の日時が前記格納部に格納された終了日時になると、該録画装置が行っている録画を停止する制御部」を含む点で一致し、
　本願発明では、録画させる録画装置が「前記録画装置指定情報にて示された」録画装置であることに対し、
　引用発明では、「各ＡＶ情報記録再生装置（録画装置）の状態を調べ、記録可能なＡＶ情報記録再生装置（録画装置）を選択し」た録画装置である点で相違する。
　
　カ．「前記制御部は、前記録画装置の電源のオンオフを制御する」点について
　
　引用発明でも、前記のとおり、そのＡＶシステムコントロール装置（録画管理装置）と情報記録再生装置（録画装置）との接続構成について、「ＡＶシステムコントロール装置１により、情報記録再生装置３ａ〜３ｎの電源のオン・オフや録画開始・終了等の操作を行うことができるように接続されている。」（【００１７】）としており、上記電源のオン・オフ操作がなされた場合、ＡＶシステムコントロール装置１、具体的には該コントロール装置１の上記ＡＶ装置制御部１２ａが上記情報記録再生装置の電源のオン・オフを制御することは明らかである。
　よって、本願発明と引用発明とは、
　「前記制御部は、前記録画装置の電源のオンオフを制御する」点で一致する。
　
　キ．相違について
　本願発明と引用発明とは以上のように各要件毎に対比されていくつかの相違を有するところ、これらの相違点はいずれも、結局のところ、上記したように、録画予約した番組を録画させる録画装置を複数の録画装置のうちから選択する上での選択手法の違いによる相違といえ、録画予約した番組を録画させる録画装置の選択を、本願発明ではユーザが選択するものであることに対し、引用発明では制御装置が「各ＡＶ情報記録再生装置（録画装置）の状態を調べ、記録可能なＡＶ情報記録再生装置（録画装置）を選択」、すなわち、自動的に選択するものであるという技術的相違に基づくものといえる。
　
（２）一致点および相違点
　以上の対比結果によれば、本願発明と引用発明との一致点、相違点は次のとおりである。
　
［一致点］
「複数の録画装置の録画予約を行う録画管理装置であって、
　ユーザが番組録画の予約を行う際に、番組を放送するチャンネル、該番組の開始日時、該番組の終了日時を受け付ける入力部と、
　前記入力部にて受け付けられたチャンネル、開始日時、終了日時を格納する格納部と、
　現在の日時を示す時計部と、
　前記時計部にて示される現在の日時が前記格納部に格納された開始日時になると、前記格納部に格納されたチャンネルにて放送される番組を、前記複数の録画装置のうちから選択した録画装置に録画させ、該現在の日時が前記格納部に格納された終了日時になると、該録画装置が行っている録画を停止する制御部と、を含み、
　前記制御部は、前記録画装置の電源のオンオフを制御する、録画管理装置。」
　
［相違点］
　録画予約した番組を録画させる録画装置の選択を、本願発明ではユーザが選択するものであることに対し、引用発明では制御装置が自動的に選択するものであるという技術的相違により、
　本願発明では、
　入力部で「前記複数の録画装置のいずれかを特定するための録画装置指定情報」も受け付け、
　格納部で「録画装置指定情報」も格納し、
　録画させる録画装置が「前記録画装置指定情報にて示された」録画装置であることに対して、
　引用発明では、
　入力部で「複数の録画装置のいずれかを特定するための録画装置指定情報」を受け付けておらず、
　格納部で「録画装置指定情報」を格納しておらず、
　録画させる録画装置が「（制御装置が）各ＡＶ情報記録再生装置（録画装置）の状態を調べ、記録可能なＡＶ情報記録再生装置（録画装置）を選択し」た録画装置である点。
　
４．判断
　引用例には、引用発明が前提とする従来技術について、
「近年、ＶＴＲ（ビデオ・テープレコーダ）装置が普及しており、１台のテレビに複数のＶＴＲ装置が接続されている状況が多々見られている。」（【０００２】）、
「そこで、このようなシステムをより簡単に扱うために、ＶＴＲ装置等の複数のＡＶ情報記録再生装置を統合管理する制御装置が考えられ、製品化されている。」（【０００３】）
との記載、およびそのような従来技術の問題点として、
「ユーザが予約を行なう際には、複数あるＶＴＲ装置の中から録画を行なうＶＴＲ装置を選択しなければならない。しかし、複数の番組を予約録画したい場合などでは、ユーザが磁気テープ（記録媒体）の録画可能時間を計算しながら複数のＶＴＲ装置に予約内容を割り振らなければならなかった。」（【０００６】）
との記載がある。
　この記載からすると、上記複数のＡＶ情報記録再生装置（録画装置）を統合管理する制御装置、すなわち引用発明のような録画管理装置において、「予約を行なう際には、」ユーザが「複数あるＶＴＲ装置の中から録画を行なうＶＴＲ装置を選択」することが記載されているといえる。
　引用発明は、上記従来技術の問題点の解決を企図して、録画装置の選択を制御部による自動的な選択としたものであるが、
　引用発明で従来技術の問題点の解決を企図して自動的な選択としたしている部分を、従来技術のように「予約を行なう際には、」ユーザが「複数あるＶＴＲ装置の中から録画を行なうＶＴＲ装置を選択」するようにすることで、引用発明を従来技術として用いることができることは、当業者が容易に想到できることといえる。
　その際、従来技術のように「予約を行なう際には、」ユーザが「複数あるＶＴＲ装置の中から録画を行なうＶＴＲ装置を選択」するようにする具体的手段として、
　引用発明が、
「番組録画の予約は、番組予約手段１１の番組予約部１１ａを操作することにより行われ、番組に関するデータは、番組予約リスト１１ｂに登録され」、
　「タイマ１１ｃは、現在の時刻を計数することができ、番組予約リスト１１ｂのデータを参照して、予約の開始・終了時刻になったときにＡＶ装置制御部１２ａに録画開始・終了メッセージを出力」するものであって、「番組予約リスト１１ｂに登録」した内容に基づいて動作するものであること、および、自動であるが「ＡＶ情報記録再生装置を選択して番組の録画を開始させ」る能力を有するものであることから、ユーザが選択するＶＴＲ装置を「番組予約リスト１１ｂに登録」することで、引用発明のＡＶシステムコントロール装置に、ユーザが選択するＶＴＲ装置に録画をさせるようになすことは、当業者が容易に想到できることといえる。
　すなわち、引用発明において、
　入力部で「前記複数の録画装置のいずれかを特定するための録画装置指定情報」も受け付けるようにし、格納部で「録画装置指定情報」も格納するようにして、録画させる録画装置が「前記録画装置指定情報にて示された」録画装置であるようにすることで、本願発明とすることは当業者が容易に想到できることといえる。
　そして、そのようになしたとき、本願発明の奏する効果を奏することも予測できるものである。
　よって、本願の請求項１に係る発明は引用例に記載された発明に基づいて当業者が容易に発明することができたものと認められる。
　
５．むすび
　以上のとおりであるから、本願の請求項１に係る発明は、特許法第２９条第２項の規定により特許を受けることができない。
　それ故、本願の請求項２ないし５に係る発明について検討するまでもなく、本願は拒絶すべきものである。
　よって、結論のとおり審決する。